(57)【要約】【課題】ローラ用の保持装置と、該保持装置を備えたコンベアを提供する。【解決手段】  コンベアのローラ用の保持装置であって、ローラ（７）を傾斜自在の支持部（１３）上に設けたことを特徴とする。【選択図】  図３
2005225677.tif 000002
【特許請求の範囲】
【請求項１】
コンベアのローラ用の保持装置であって、前記ローラ（７）を傾斜自在の支持部（１３）上に設けたことを特徴とする保持装置。
【請求項２】
前記支持部は、二つの側板（１３Ａ）を有することを特徴とする請求項１に記載の保持装置。
【請求項３】
前記支持部は、前記ローラの軸に合わせて二つのスロット（１４）を有することを特徴とする請求項１に記載の保持装置。
【請求項４】
前記スロットは、上方に向って開口することを特徴とする請求項３に記載の保持装置。
【請求項５】
前記スロットは、正面に向って開口することを特徴とする請求項３に記載の保持装置。
【請求項６】
前記スロットは、下方に向って開口することを特徴とする請求項３に記載の保持装置。
【請求項７】
前記支持部は、侵入を防止する保護部を備えることを特徴とする請求項１に記載の保持装置。
【請求項８】
少なくとも一つの水平方向のローラを備えたコンベアであって、請求項１〜７のいずれかに記載の保持装置を備えたことを特徴とするコンベア。
【発明の詳細な説明】
【技術分野】
【０００１】
本発明は、ベルトコンベアやバッテンタイプのベルトのローラに用いる保持装置（リテンション装置）に関する。また、本発明は、この装置を備えたコンベアに関する。
【背景技術】
【０００２】
特に塊状の材料をある場所から他の場所まで搬送することは、様々な機械を用いて構成することができるが、この選択は、例えば、搬送距離、時間毎に送られる容量等の様々なパラメーターに基いて行われている。通常、ベルトコンベアはエンドレス（循環）状のベルトを有し、このベルトはシャシーによって支持される一連のローラに沿って送られるようにしている。
【０００３】
上記エンドレスベルトコンベアによって塊状の材料を搬送するとき、ベルトの作用部分をＶ字又はＵ字形状にして、移動中に材料を保持できるように、ガリー又はトラフの一種のように構成する必要がある。現在では、このようなＶ字又はＵ字形状を得るために、搬送路の長手方向に沿うとともに、この搬送路の側方にサポートローラのセットを配置するようにベルトを構成している。
そして、このようなアセンブリの幾何学的な配置によって、ベルトの凹所の程度、つまり所望の輪郭を決定している。
【０００４】
一般に、このガイドアセンブリでは、中央に水平方向にローラを配置するとともに、水平線に対して傾斜するように二つ又は複数の側方のローラを配置して、エンドレスベルトの縁部を持ち上げている。
【０００５】
従来、これら様々なローラに対するアクセスは容易ではなく、さらに、特に大量の材料を用いる場合には、発生するダストによってサービス作業を増やすことが必要になっていた。しかし、ローラを解除するためには、ローラの軸を保持するブラケットを取外す必要があり、サービスのための中断時間が非常に長引いていた。
【発明の開示】
【発明が解決しようとする課題】
【０００６】
本発明は、以上の点に鑑みてなされたものであり、上記問題点を克服するように、ローラ用の保持装置と、該保持装置を備えたコンベアを提供することを目的とするものである。
【課題を解決するための手段】
【０００７】
上記目的を達成するために、本発明は、エンドレスベルトを移送させるコンベアのローラ用の保持装置を提供するが、この際、このローラを傾斜自在の支持部（チルティングサポート）によって支持させるように装置を構成することを特徴とする。
また、本発明は、上記保持装置を備えたコンベアを提供する。
【０００８】
以下、本発明に係る好適な実施形態について、添付した図を参照して説明するが、これら図に示す実施形態は本発明の範囲を限定させるものではなく、単に概略的に示したものに過ぎないことを理解されたい。
【発明を実施するための最良の形態】
【０００９】
添付した図を参照すると、ベルトタイプ又はバッテンタイプのコンベア（１）を示している。
通常、コンベア（１）はエンドレス状の搬送面（３）を有し、この表面は、例えば湾曲等の輪郭を形成するガイド面（４）上を移動するように、シャシー（２）に沿って送られるように構成されている。
例示した実施形態では、ガイド面はローラ（７）を用いて構成されている。
【００１０】
図１に例示した実施形態では、エンドレスベルトつまり表面（３）の上方に、例えばヒンジ状に取付けるように、カバー（５）を設けており、閉じたボリューム（６）を形成している。また、搬送用のエンドレス面（３）の縁部を、ガリーを形成できるように持ち上げて、このコンベアの上に載せた塊状の材料を保持できるように構成する必要がある。また、エンドレスベルトを移動させるために、従来公知のテンショナーや駆動源を備えている。そして、搬送される材料は、両端部側で開口するトンネル内を移動するようにしている。さらに、軸方向に対して横方向でのベルトの湾曲、つまり輪郭は、水平方向のローラ（７）と、このローラの両側に設けられた、２つの湾曲した側面（８）、または他のローラによって定められるようにしている。
【００１１】
また、本発明の実施形態では、メンテナンスを容易にするため、水平方向のローラ（７）を傾斜自在の支持部（１３）上に設けて、交換時にローラ（７）を素早く取外せるようにしている（図２参照）。
この際、作用位置では、ローラ（７）は固定位置にあり、ベルトと対向し、これを支持するようにしている（図３参照）。
一方、メンテナンス位置（非作用位置）では、ローラは下方に傾斜して、ベルトから離れるように移動できるようにしている（図４参照）。
【００１２】
例えば、この支持部は二つの側板（チークプレート）（１３Ａ）を有し、これら各々にスロット（１４）を設けて、水平方向のローラの回転軸がこのスロット内にスライドできるようにする。
このスロット（１４）は、上方からローラの軸と係合できるように構成されている。つまり、このスロットは上方に向って開口している（図３、４参照）。
従って、支持部を持ち上げると、ローラはベルトの下方に置かれる。このため、ローラ（７）はスロットから出られなくなる。但し、本発明に係る他の実施形態では、正面又は下方に向ってこのスロット（１４）を開口させることは可能である（図５参照）。
【００１３】
また、ローラを運ぶクロスメンバに侵入を防止する保護部（１５）を備える。好ましくは、支持部にこの侵入を防止する保護部（１５）を備えて、ローラとベルトによって覆う部品がトラップされる危険性を限定させる。これは、ローラの上流側に配置したプレート（１５）によって構成できる。これら構成は、テクニカルサービスを大きく向上させる。
【００１４】
実際、本発明に係る実施形態では、支持部を傾斜させると（図４参照）、エンドレスベルトから離れて移動させるように、ローラに対するアクセス性は一層向上する。また、前もって問題がなければ、ローラをこの軸に関して自由に回転させるようにすることができる。この技術的な特徴は、基本的な平面又は湾曲面に基いた従来公知の任意のベルトコンベアで機能できる。
【００１５】
図１に示した装置では、本発明の出願人は湾曲した輪郭を有するコンベアについて説明している。この図示した実施形態では、各側面（８）はエンドレスベルトを載せる表面を越えて側方に延びている。また、少なくとも局所的には、側面（８）の少なくとも一つをシャシーの迅速取付装置（９）に固定して、開口部を素早く提供できるようにアクセスドアの一種を構成している。
【００１６】
この迅速取付装置は、操作に時間のかかる、例えば１０分もかかるような一連のボルトとは異なり、例えばラッチやピッチの大きなねじ（coarse-pitch screw）等の手段である。従って、側面（８）はエンドレスベルトを案内する機能に加えて、アクセスドアとしての機能を備える。また、搬送路の全長にわたって、側壁によって形成される側面は連続している。自明ではあるが、この連続部に中断部を設けることは可能であるが、しかし、このことは閉鎖性の効果を低下させ得る。
【００１７】
上記のように、カバー（５）を用いて閉じたチューブを構成するが、底部に開口部を設けるものとする。この開口部は、全搬送路に沿って設けた水平方向のローラの位置に設けられる。
【００１８】
好ましくは、取外し可能な側面（８）は、予め決められた二つの位置の間で移動可能なガイド部（１０）によって支持される。このロッキング操作は、簡単なラッチを操作したり、解除させることで行われる。このことを実行する第一の方法では、例えば、少なくとも一つのスライド（１０Ａ）とこのランナー（１０Ｂ）を用いて、ガイド部（１０）を側方でガイドできるようにする。
【００１９】
他の方法では、側壁の各構成要素（８）を少なくとも一つのヒンジを用いて固定して、組付け時に定められる軸に対して傾斜したり、回転できるようにする。本発明の出願人は、この形状を、例えば、エンドレスベルトの移動軸に対して、軸方向に相対的に平行なように構成した。このヒンジ部は、側壁の底部に設けられる。
【００２０】
このヒンジ部は、各側壁を単一の板状のドアとして作用させるように、垂直軸上に設けられていてもよい。また、湾曲した側面を運ぶ支持部を傾斜させるだけで、ベルトに対してアクセスできるようにする。
【００２１】
従って、材料を保持するチューブの内部にアクセスするために、コンベアの側壁の一部を非常に容易に取外すことができる。同様に、ベルトの底面と湾曲した側面の上面との間に位置するスペース内に材料が侵入した場合でも、ローラと湾曲した側面の間にある隙間から取出すことができる。好ましくは、側面（８）は、全ての箇所において取外し可能なようにする。
【００２２】
また、添付した図から理解できるように、側面（８）の作用面を少なくとも二つの平面又は二つの湾曲部から構成し、これらの間に中断部又は切れ目（１２）を形成して、ベルトの側方の移動を停止できるようにする。実施上、ベルトは、この移動中、ベルトの軸方向の移動に厳格に保たれるわけではなく、側方にも移動できる。従って、ベルトの縁部が中断部にあたって、この中断部を乗り越えて進もうとする力が増すと、反作用によって、ベルトは他の方向に向って戻されるようにする。
【００２３】
具体例を挙げると、この側壁は鋼（スチール）から形成できる。また、側面のうち少なくとも作用面はわずかに粗い（ラフである）。また、スライド作用を向上させる材料からなるレイヤを用いて、側面を覆うようにしてもよい。また、添付した図では、チューブの容量を増大させ、過度の圧力を限定させるように、カバーを持ち上げている。
【００２４】
また、側面を提供する側壁の自由端部（８Ａ）は、例えばラッチのような解除可能な固定装置によってカバーに対して一体なように固定されている。
【００２５】
さらに、軸に対して回転するように傾斜自在の保持装置を案内させ、また、例えばボルトによって設けられるラッチを用いて、傾斜自在の支持部をローラの作用位置で固定させてベルト上に載せるようにする。
【図面の簡単な説明】
【００２６】
【図１】コンベアの一例を示す横方向の断面図である。
【図２】図１の側面図である。
【図３】作用位置にあるローラ用の保持装置を示す図である。
【図４】非作用位置にあるローラ用の保持装置を示す図である。
【図５】ローラ用の保持装置の他の例を示す図である。
【符号の説明】
【００２７】
１                  コンベア
２                  シャシー
３                  搬送面
４                  ガイド面
５                  カバー
７                  ローラ
８                  側面
９                  迅速取付装置
１３                傾斜自在の支持部
１３Ａ              側板
１４                スロット
【図１】
2005225677.tif 000003
【図２】
2005225677.tif 000004
【図３】
2005225677.tif 000005
【図４】
2005225677.tif 000006
【図５】
2005225677.tif 000007